(57)【特許請求の範囲】
【請求項１】
複数の発光領域を有し、当該複数の発光領域を互いに異なる発光状態に制御可能な光源と、
上記光源のそれぞれの発光領域に対向し、且つ、各発光領域からの出力光を互いに異なる方向に出射する複数の光出射部を有する光学部材と、を備え、
上記複数の発光領域の各々は、
対称点が重なり、且つ、各々の面積が互いに異なる、複数の点対称図形を重畳させた場合における、互いに隣接する、一の点対称図形の外周と他の一の点対称図形の外周との間に挟まれた領域、または、最小面積の点対称図形の領域であり、
上記複数の発光領域および上記複数の光出射部の各個数は、２つであり、
上記２つの光出射部の一方は、対応する発光領域からの出力光を拡散させ、上記２つの光出射部の他方は、対応する発光領域からの出力光を集光させることを特徴とする照明装置。
【請求項２】
上記複数の点対称図形の各々は、円であることを特徴とする請求項１に記載の照明装置。
【請求項３】
上記光学部材は、上記複数の光出射部が一体成型されたものであることを特徴とする請求項１または２に記載の照明装置。
【請求項４】
上記複数の発光領域の各々には、発光領域ごとに色温度が異なる複数の発光素子が２次元的に配列されることを特徴とする請求項１から３のいずれか１項に記載の照明装置。
【発明の詳細な説明】
【技術分野】
【０００１】
本発明は、配光特性を調整可能な照明装置に関する。
【背景技術】
【０００２】
近年、発光ダイオード（ＬＥＤ；Light Emitting Diode）等の半導体発光素子を光源として用いる照明装置が商品化され、一般家庭に普及し始めている。半導体発光素子は、電気エネルギーを直接光エネルギーに変換する。このため、ハロゲンランプ等の白熱球や蛍光灯に比し、高効率で、且つ、発光に際して発熱量が少ないという特徴を有する。特に、ＬＥＤは、変換効率が高く、さらに、半永久的とも考え得る長寿命で、且つ、蛍光灯の光のようにちらつきの問題もない。
【０００３】
このように、ＬＥＤは長寿命、低消費電力といった長所を有している。近年、このようなＬＥＤの長所に着目し、白熱電球や蛍光灯の代わりに、ＬＥＤを光源として使用する様々な照明装置が開発されて来ている。
【０００４】
ところで、最近、ＬＥＤを光源とする照明装置（以下、「ＬＥＤ照明装置」と記す場合もある）においても、従来の白熱電球や蛍光灯と同様、広い配光角による照明の実現が潜在的に強く望まれている。さらに、配光特性の向上だけでなく、配光特性自体を調整可能とすることにも期待が大きい。例えば、利用者が、仕事の状況や１日の生体リズムに合わせて、照明の配光特性を調整し、生活や仕事における、その時々の状況に応じた配光特性を選択可能とすることが期待されている。
【０００５】
このような事情を考慮して、従来、配光特性を調整可能な照明器具が提案されている（例えば、特許文献１を参照）。
【０００６】
この照明器具（ＬＥＤ照明装置）では、発光ダイオード素子（ＬＥＤ）とは別体にレンズ体を設け、レンズ体のみを交換することができる。レンズ交換により、配光パターンを変化させ、これにより、配光制御の自由度を向上させていた。すなわち、照明の配光特性自体を調整可能とすることができた。
【先行技術文献】
【特許文献】
【０００７】
【特許文献１】特開２００２−３０４９０３号公報（２００２年１０月１８日公開）
【発明の概要】
【発明が解決しようとする課題】
【０００８】
しかしながら、特許文献１に記載の照明器具では、ねじ止めにより結合されたボディーおよびカバーの内部にレンズ体が収納されるため、配光特性を調整しようとした場合、人手によりねじ止めを外し、レンズ交換後、再び、ボディーおよびカバーをねじ止めしなければならず、配光特性の調整を容易に行なうことができないという課題があった。
【０００９】
さらに、ねじ止めやレンズ交換は、利用者が照明器具を直接扱い、すなわち、照明器具に手が届く範囲にまで近づき、行なわなければならない。一般に、照明器具は、机上の照明装置を除き、屋内の壁や天井、屋外の電柱やポールに取り付けられており、利用者の手の届く範囲にあることはまれである。このため、レンズ交換を行なう際、脚立や梯子といったものを用いて、照明器具の傍まで行く必要があった。このことも、配光特性の調整を容易に行なうことができないという課題を招く要因の一つであった。
【００１０】
本発明は、このような課題に鑑みてなされたものであり、配光特性の調整を容易に行なうことができる照明装置を提供することを目的とする。
【課題を解決するための手段】
【００１１】
本発明の照明装置は、上記の課題を解決するために、複数の発光領域を有し、当該複数の発光領域を互いに異なる発光状態に制御可能な光源と、上記光源のそれぞれの発光領域に対向し、且つ、各発光領域からの出力光を互いに異なる方向に出射する複数の光出射部を有する光学部材とを備え、上記複数の発光領域の各々は、対称点が重なり、且つ、各々の面積が互いに異なる、複数の点対称図形を重畳させた場合における、互いに隣接する、一の点対称図形の外周と他の一の点対称図形の外周との間に挟まれた領域、または、最小面積の点対称図形の領域であり、上記複数の発光領域および上記複数の光出射部の各個数は、２つであり、上記２つの光出射部の一方は、対応する発光領域からの出力光を拡散させ、上記２つの光出射部の他方は、対応する発光領域からの出力光を集光させる。
【００１２】
上記構成においては、各発光領域の発光状態を互いに異なるように設定することができる。このため、例えば、一部の発光領域を発光させ、他の一部の発光領域を発光させない、あるいは、一部の発光領域を相対的に大きい出力とし、他の一部の発光領域を相対的に低い出力とすることができる。
【００１３】
上記構成によれば、このような互いに異なる発光状態が設定された、各発光領域からの出力光を互いに異なる方向に出射することができるので、配光特性の調整を容易に行なうことができる。
【００１５】
上記構成によれば、各発光領域を点対称に配置することができる。このため、照明装置の利用者から見れば、各発光領域のいずれを発光させても、照明装置からの光の光軸は一つであり、照明装置を一つの点光源としてみなすことができる。
【００１６】
それゆえ、上記構成によれば、各発光領域の発光状態が互いに異なるように設定し、配光特性を調整した場合でも、利用者から見た発光点は増えることなく、一つのままであるので、マルチシャドーを低減することができる。
【００１７】
上記複数の点対称図形の各々は、円であることが好ましい。
【００１８】
上記構成によれば、光源を容易に構成することができる。
【００２０】
上記光学部材は、上記複数の光出射部が一体成型されたものであることが好ましい。
【００２１】
上記構成によれば、光学部材の製造コストを低減することができるので、照明装置の製造コストを低減することができる。
【００２２】
上記複数の発光領域の各々には、発光領域ごとに色温度が異なる複数の発光素子が２次元的に配列されることが好ましい。
【発明の効果】
【００２３】
本発明によれば、配光特性の調整を容易に行なうことができるという効果を奏する。
【図面の簡単な説明】
【００２４】
【図１】本発明の一実施形態に係る照明装置のＬＥＤモジュールの概略構成を示す断面図である。
【図２】上記ＬＥＤモジュールのＬＥＤ基板の概略構成を示す斜視図である。
【図３】本発明の実施の一形態に係る照明装置の斜視図である。
【図４】上記照明装置の電源モジュールの概略構成を示すブロック図である。
【図５】上記ＬＥＤモジュールの変形例の概略構成を示す断面図である。
【図６】上記ＬＥＤモジュールの変形例の概略構成を示す断面図である。
【図７】上記ＬＥＤ基板の変形例の概略構成を示す斜視図である。
【図８】上記ＬＥＤ基板の変形例の概略構成を示す斜視図である。
【図９】上記ＬＥＤ基板の変形例の概略構成を示す斜視図である。
【図１０】上記ＬＥＤ基板の変形例の概略構成を示す斜視図である。
【図１１】上記ＬＥＤ基板の変形例の概略構成を示す斜視図である。
【図１２】（ａ）、（ｂ）および（ｃ）は、上記ＬＥＤモジュールの一体型レンズの構成例の概略構成を示す断面図である。
【図１３】（ａ）、（ｂ）および（ｃ）は、上記ＬＥＤモジュールの一体型レンズの構成例の概略構成を示す断面図である。
【発明を実施するための形態】
【００２５】
以下、本発明の一実施形態について図面に基づいて説明する。
【００２６】
（照明装置１）
図３は、本発明の一実施形態に係る照明装置１の斜視図である。図３のように、照明装置１は、電球タイプの照明装置である。照明装置１は、グローブカバー１１と、光源としてＬＥＤを備える発光部１２と、口金１３とが、この順に配置された構成である。以下の説明では、便宜上、グローブカバー１１側を上側（上方）、口金１３側を下側（下方）として説明する。
【００２７】
グローブカバー１１は、ドーム形状であり、内部に発光部１２に設けられた光源（ＬＥＤモジュール２１）が収容される。グローブカバー１１は、光源が発する光を透光させる機能と、発光部１２を覆うことによって発光部１２（特に、ＬＥＤモジュール２１）を保護する機能とを有する。グローブカバー１１は、例えば、透明または光拡散性を有するガラスや合成樹脂などから形成することができる。ＬＥＤは点灯時の発熱量が比較的多いため、グローブカバー１１は、耐熱性材料から形成することが好ましい。例えば、乳白色のポリカーボネート樹脂は、耐衝撃性、耐熱性、光拡散性に優れているため、グローブカバー１１の構成材料として好適である。
【００２８】
発光部１２は、照明装置１の本体部である。発光部１２の一方の端部（上端）には、グローブカバー１１が装着され、他方の端部（下端）には口金１３が装着されている。発光部１２の上端面には、光源としてＬＥＤを備えたＬＥＤモジュール２１が実装されている。一方、発光部１２の内部には、電源モジュール２２が設けられている。電源モジュール２２は、ＬＥＤモジュール２１に、電力を供給する電源回路部である。また、電源モジュール２２は、ＬＥＤの点灯状態（発光量等）を制御する制御回路部でもある。なお、発光部１２の内部には、その他にも、ＬＥＤの点灯制御、調光、または調色するための電子部品（回路部品）が設けられている。
【００２９】
照明装置１は、ＬＥＤを光源としているため、発熱量が比較的多い。このため、発光部１２の外装部は、熱伝導性の良好な金属から構成することが好ましい。例えば、発光部１２の外装部は、アルミニウム（Ａｌ）、銅（Ｃｕ）、鉄（Ｆｅ）、ニッケル（Ｎｉ）等の金属またはこれらの合金から構成することが好ましい。また、窒化アルミニウム（ＡｌＮ）、シリコーンカーバイト（ＳｉＣ）などの工業材料から構成しても、高熱伝導樹脂等の合成樹脂で構成してもよい。これにより、発光部１２は、ＬＥＤモジュール２１および電源モジュール２２から発生する熱を、外部に効果的に放熱することができる。
【００３０】
口金１３は、外部接続用の金具であり、例えば、一般的なＥ２６型の金具である。すなわち、口金１３は、外部電源（図示せず）からの電力を、電源モジュール２２に供給する。口金１３の内側面には、発光部１２の外側面に形成されたねじ山に係合するねじ山が形成されている。これにより、発光部１２が螺合して接続される。つまり、口金１３の内側面に形成されたねじ山は、口金１３を発光部１２に螺合して接続するための螺合機構である。口金１３の外側面にもねじ山が形成されている。これにより、照明装置１が天井等に設けられたソケットに螺合して装着可能となっている。
【００３１】
このような構成により、照明装置１は、口金１３を商用電源（外部電源）のソケット等に螺合して取り付けられると、口金１３に接続された電線（図示せず）を介して電源モジュール２２に電圧が供給される。そして、電源モジュール２２を介してＬＥＤモジュール２１に、適切な電圧が供給され、ＬＥＤが点灯する。ＬＥＤからの光は、グローブカバー１１を透過すると共にグローブカバー１１で拡散される。これにより、グローブカバー１１の略全体が明るくなり、略均一な輝度の光が外部に出射される。照明装置１は、ＬＥＤを光源として備えるため、長寿命および低消費電力を実現することができる。
【００３２】
なお、グローブカバー１１は、上で述べたような拡散機能を備えるものに限られない。例えば、拡散機能を持たない、すなわち、ＬＥＤからの光を拡散させることなく透過させる機能を備えるものであってもよい。この場合、グローブカバー１１は、例えば、光を単に透過させる透明材料を用いればよい。
【００３３】
また、グローブカバー１１は、上記の拡散機能を備える領域と、ＬＥＤからの光を単に透過させる機能を備える領域と、から構成されるものであってもよい。例えば、ＬＥＤからの光のうち、集光される光は、拡散させる必要はない。そこで、このような集光される光が透過する領域には、上記の透明材料を用い、拡散させなくてもよい。
【００３４】
もちろん、照明装置１は、グローブカバー１１を備えていなくてもよい。
【００３５】
（ＬＥＤモジュール２１）
図１は、ＬＥＤモジュール２１の概略構成を示す断面図である。また、図２は、ＬＥＤモジュール２１のＬＥＤ基板３１の概略構成を示す斜視図である。
【００３６】
図１に示すように、ＬＥＤモジュール２１は、ＬＥＤ基板（光源）３１と、一体型レンズ（光学部材）３２と、を備えている。
【００３７】
ＬＥＤ基板３１は、複数のＬＥＤ４１と、複数のＬＥＤ４２とを、それぞれ搭載する基板である。ＬＥＤ基板３１を構成する基板は、特に限定されるものではない。しかし、ＬＥＤ４１およびＬＥＤ４２の発熱量は比較的多いため、ＬＥＤ基板３１は、熱伝導性の良好な基板であることが好ましい。例えば、ＬＥＤ基板３１は、金属またはその合金から構成することできる。例えば、ＬＥＤ基板３１は、アルミニウム（Ａｌ）、銅（Ｃｕ）、鉄（Ｆｅ）、ニッケル（Ｎｉ）等の金属またはこれらの合金から構成することができる。また、アルミナ、窒化アルミニウム（ＡｌＮ）、シリコーンカーバイト（ＳｉＣ）などの工業材料（セラミクス）から構成しても、高熱伝導樹脂等の合成樹脂から構成してもよい。これにより、ＬＥＤ基板３１は、ＬＥＤ４１およびＬＥＤ４２から発生する熱を、外部に効果的に放熱することができる。また、ＬＥＤ基板３１の面積が大きいほど、照明装置１の放熱効果を高めることができる。
【００３８】
ＬＥＤ基板３１のＬＥＤ搭載面には、ＣＯＢ（Chip On Board）を用いて、複数のＬＥＤ４１を含む第１のグループ（発光領域）３１ａと、複数のＬＥＤ４２を含む第２のグループ（発光領域）３１ｂとが、２次元的に配列されている。すなわち、ＬＥＤモジュール２１はＣＯＢ（Chip On Board）型の光源モジュールである。
【００３９】
複数のＬＥＤ４１および複数のＬＥＤ４２は、それぞれを含むグループごとに、直列接続されており、第１のグループ３１ａおよび第２のグループ３１ｂのそれぞれごとに、各グループの発光状態が独立して、言い換えれば、別々に、制御される。
【００４０】
すなわち、第１のグループ３１ａに含まれる複数のＬＥＤ４１同士は、同じ発光状態となるように制御される。また、第２のグループ３１ｂに含まれる複数のＬＥＤ４２同士も、同じ発光状態となるように制御される。一方、第１のグループ３１ａに含まれる複数のＬＥＤ４１と、第２のグループ３１ｂに含まれる複数のＬＥＤ４２とは、同じ発光状態となってもよいし、異なる発光状態となってもよい。
【００４１】
ここで、「発光状態の制御」とは、第１のグループ３１ａおよび第２のグループ３１ｂの各々に対し、各グループに含まれるＬＥＤの、調光率（光量）、色調、または、点灯状態（すなわち、点灯または消灯）のうちの少なくとも１つを制御することを意味する。
【００４２】
なお、第１のグループ３１ａと第２のグループ３１ｂとは、各グループの発光状態が必ずしも独立して制御可能である必要はない。要は、第１のグループ３１ａと第２のグループ３１ｂとが、互いに異なる発光状態に制御可能であればよい。例えば、第１のグループ３１ａおよび第２のグループ３１ｂの各発光状態を互いに連動するように制御しても構わない。具体的には、第１のグループ３１ａの発光状態に応じ、第２のグループ３１ｂの発光状態が決定されるが如くである。また、その逆であっても構わない。
【００４３】
ＬＥＤ４１およびＬＥＤ４２はそれぞれ、例えば、図示しない蛍光体が分散された樹脂によって封止されてもよい。また、ＬＥＤ４１およびＬＥＤ４２はそれぞれ、ＬＥＤ基板３１の搭載面に対して垂直な方向に光を出射する。
【００４４】
ＬＥＤ４１とＬＥＤ４２とは、相関色温度や発光色が同一のＬＥＤであってもよいし、相関色温度や発光色が異なるＬＥＤであってもよい。
【００４５】
図２に示すように、第１のグループ３１ａに含まれる複数のＬＥＤ４１と第２のグループ３１ｂに含まれる複数のＬＥＤ４２とは、ＬＥＤ基板３１の搭載面において、同心円によって、各々が配置される領域が区分けされ、配置されている（ここでは、「同心円状の配置」と呼ぶ）。具体的には、この同心円状の配置は、次のような配置を意味する。
【００４６】
円は点対称図形であり、同心円は、それぞれの対称点が重なり、それぞれの面積が互いに異なる（円の場合、半径が異なるとも言える）、複数の円を重畳させたものである。このような２つの円（同心円）により区分けされる領域は、２つの円の外周間に挟まれた領域と、最小面積の円の領域と、に定義される。
【００４７】
このような定義によれば、図２から明らかなように、第１のグループ３１ａに含まれる複数のＬＥＤ４１は、上で述べた「最小面積の円の領域」に含まれるものであると言える。一方、第２のグループ３１ｂに含まれる複数のＬＥＤ４２は、上で述べた「２つの円の外周間に挟まれた領域」に含まれるものであると言える。
【００４８】
この同心円状の配置による効果について、後述する。
【００４９】
一体型レンズ（光学部材）３２は、ＬＥＤ基板３１に搭載された第１のグループ３１ａに含まれる複数のＬＥＤ４１に対向し、複数のＬＥＤ４１からの出力光が入射される第１のレンズ部（光出射部）３２ａと、ＬＥＤ基板３１に搭載された第２のグループ３１ｂに含まれる複数のＬＥＤ４２に対向し、複数のＬＥＤ４２からの出力光が入射される第２のレンズ部（光出射部）３２ｂと、から構成されている。
【００５０】
図１に示したとおり、第１のレンズ部３２ａは、複数のＬＥＤ４１の各出力光が入射されると、先ず、第１のグループ３１ａの中心付近に配置されたＬＥＤ４１の出力光については、その出力光の進行方向を変えることなく、そのまま出射する。一方、第１のグループ３１ａの中心から離れて配置されたＬＥＤ４１の出力光については、その出力光の進行方向を、ＬＥＤ基板３１の外側に向かう方向に変化させ、出射する。すなわち、第１のレンズ部３２ａは、第１のグループ３１ａからの出力光を拡散させる機能を有する。
【００５１】
例えば、第１のレンズ部３２ａは、ＬＥＤ４１の各出力光の入射面が凹面、出射面が平坦面である光学レンズを用いることができる。この場合、この光学レンズは、ＬＥＤ４１に対向する入射面の凹面でＬＥＤ４１の出力光を拡散する。そして、平坦な出射面から拡散された光を出射する。
【００５２】
一方、第２のレンズ部３２ｂは、複数のＬＥＤ４２の各出力光が入射されると、その出力光の進行方向を、ＬＥＤ基板３１の内側に向かう方向に変化させ、出射する。すなわち、第２のレンズ部３２ｂは、第２のグループ３１ｂからの出力光を集光させる機能を有する。
【００５３】
例えば、第２のレンズ部３２ｂは、ＬＥＤ４２の各出力光の入射面が凸面、出射面が平坦面である光学レンズを用いることができる。この場合、この光学レンズは、ＬＥＤ４２に対向する入射面の凸面でＬＥＤの光を集光する。そして、平坦な出射面から集光された光を出射する。
【００５４】
第１のレンズ部３２ａおよび第２のレンズ部３２ｂの入射面および出射面の形状は特に限定されるものではない。第１のレンズ部３２ａおよび第２のレンズ部３２ｂの入射面および出射面の形状は、必要な出射光の配光に応じて、任意に設定することができる。また、第１のレンズ部３２ａおよび第２のレンズ部３２ｂの形状や種類は特に限定されるものではない。例えば、第１のレンズ部３２ａおよび第２のレンズ部３２ｂとしては、フレネルレンズ等の各種光学素子を適用することができる。
【００５５】
なお、第２のレンズ部３２ｂは、単に、集光するだけでなく、第１のレンズ部３２ａにより拡散された拡散光の中心に向けて、複数のＬＥＤ４２の各出力光を集光させている。これにより、例えば、利用者は、第１のレンズ部３２ａにより拡散される光の中心付近にいれば、自身の位置を変えることなく、ＬＥＤモジュール２１の発光領域を第１のグループ３１ａから第２のグループ３１ｂに切り換えることで、第２のレンズ部３２ｂにより集光された光を利用することができる。第２のレンズ部３２ｂにより集光された光も、第１のレンズ部３２ａにより拡散される光の中心付近に集光されるからである。
【００５６】
また、第１のレンズ部３２ａと第２のレンズ部３２ｂとは、一体成型されることが好ましい。例えば、金型を用意し、その金型に樹脂等を流し込み、一体成型すればよい。これにより、一体型レンズ３２を容易に製造することができるので、照明装置１の製造コストを低減することができる。
【００５７】
（電源モジュール２２）
図４は、電源モジュール２２の概略構成を示すブロック図である。図４に示すように、電源モジュール２２は、受信部５１と、設定部５２と、駆動部５３と、を有している。
【００５８】
受信部５１は、リモコンを利用者が指示する指示信号を受信する。受信部５１が受信する、利用者からの指示は、例えば、第１のグループ３１ａに含まれる複数のＬＥＤ４１を発光させ、第２のグループ３１ｂに含まれる複数のＬＥＤ４２を発光させない、という指示や、その逆の指示が挙げられる。また、第１のグループ３１ａに含まれる複数のＬＥＤ４１を３０％で出力させ、第２のグループ３１ｂに含まれる複数のＬＥＤ４２を７０％で出力させる、といった、各々の出力光を調光する指示であってもよい。
【００５９】
設定部５２は、受信部５１により受信された指示信号に従って、第１のグループ３１ａに含まれる複数のＬＥＤ４１および第２のグループ３１ｂに含まれる複数のＬＥＤ４２を駆動する駆動部５３の駆動条件を設定する。
【００６０】
例えば、設定部５２は、第１のグループ３１ａには、複数のＬＥＤ４１の各々が１００％の出力となるように、駆動電流の値を駆動部５３に設定する。また、設定部５２は、第２のグループ３１ｂには、複数のＬＥＤ４２の各々が０％の出力となるように、駆動電流の停止を駆動部５３に設定する。
【００６１】
また、例えば、設定部５２は、第１のグループ３１ａには、複数のＬＥＤ４１の各々が３０％の出力となるように、駆動電流の値を駆動部５３に設定する。また、設定部５２は、第２のグループ３１ｂには、複数のＬＥＤ４２の各々が７０％の出力となるように、駆動電流の値を駆動部５３に設定する。
【００６２】
このようにして、利用者は、リモコンを用い、照明装置１に向けて、指示信号を送信し、第１のグループ３１ａに含まれる複数のＬＥＤ４１および第２のグループ３１ｂに含まれる複数のＬＥＤ４２の各発光状態を切り換える。このような各発光状態の切り換えにより、利用者は照明装置１の配光特性を容易に調整することができる。
【００６３】
このようにして、第１のグループ３１ａに含まれる複数のＬＥＤ４１と、第２のグループ３１ｂに含まれる複数のＬＥＤ４２とは、各々の発光状態が互いに異なるようにして制御されることになる。
【００６４】
（同心円状の配置による効果）
同心円状の配置による効果について、具体例を用いて説明する。
【００６５】
例えば、第１のグループ３１ａに含まれる複数のＬＥＤ４１の相関色温度を電球色（低相関色温度）、第２のグループ３１ｂに含まれる複数のＬＥＤ４２の相関色温度を昼白色(高相関対色温度）の場合、ＬＥＤ４１のみを発光させた場合、第１のレンズ部３２ａにより、ＬＥＤ４１の出力光は拡散される。
【００６６】
一方、ＬＥＤ４２のみを発光させた場合、第２のレンズ部３２ｂにより、ＬＥＤ４１の出力光は集光される。
【００６７】
すなわち、第１のグループ３１ａのみを発光させた場合と、第２のグループ３１ｂのみを発光させた場合とで、前者であれば、間接照明に適した広配光照明を実現し、後者であれば、スポット照明を実現することができる。
【００６８】
より具体的には、例えば、読書などに適した高相関色温度の光を狭配光で実現し、間接照明などに適した低相関色温度の光を広配光で実現することが可能となる。
【００６９】
すなわち、照明装置１は、配光特性を容易に調整することができる。
【００７０】
また、他の具体例としては、第１のグループ３１ａに含まれる複数のＬＥＤ４１の発光色と、第２のグループ３１ｂに含まれる複数のＬＥＤ４２の発光色とを、異なるものとすればよい。この場合、第１のグループ３１ａおよび第２のグループ３１ｂの両方を発光させることにより、第１のレンズ部３２ａにより拡散された光と、第２のレンズ部３２ｂにより集光された光とが重なる領域においては、ＬＥＤ４１の発光色とＬＥＤ４２の発光色とを混色することができる。すなわち、第１のグループ３１ａのみを発光させた場合、第２のグループ３１ｂのみを発光させた場合、および、第１のグループ３１ａと第２のグループ３１ｂの両方を発光させた場合、では、それぞれ、異なる発光色の光が出射されることになる。
【００７１】
すなわち、照明装置１は、配色を容易に調整することができる。
【００７２】
さらに、このような同心円状の配置により、利用者から見れば、第１のグループ３１ａと第２のグループ３１ｂの一方を発光させても、あるいは、両方を発光させても、照明装置１からの光の光軸は一つであり、それゆえ、照明装置１を一つの点光源としてみなすことができる。
【００７３】
ここで、特許文献１に記載の従来の照明器具の場合、複数のＬＥＤが同心円状に配置されておらず、このため、利用者から見た場合、照明装置１のように、複数のＬＥＤをまとめたグループごとに個別に発光させた場合、従来の照明器具を一つの点光源としてみなすことができない。言い換えれば、従来の照明器具は、複数の発光点を有していると言える。このため、従来の照明器具１では、マルチシャドー（多重影）が生じてしまう。
【００７４】
これに対し、照明装置１は、上で述べたように、一つの点光源とみなされ、すなわち、発光点が増えることなく、一つのままであり、それゆえ、マルチシャドーを低減することができる。
【００７５】
さらにまた、照明装置１では、一つの点光源からの光を集光させることができるので、照明装置１から光が照射される被照射面の所定の集光領域に集光させる場合において、複数の光源からの光を集光させる構成と比較して、集光領域の位置ずれを防止することができる。
【００７６】
（ＬＥＤモジュール２１の変形例）
図５は、ＬＥＤモジュール２１の変形例の概略構成を示す断面図である。図５に示すように、ＬＥＤモジュール２１ａは、ＬＥＤ基板６１と、一体型レンズ６２と、を備えている。ＬＥＤモジュール２１ａがＬＥＤモジュール２１と異なる点は、一体型レンズ６２の第１のレンズ部６２ａと第２のレンズ部６２ｂとの境界において、それぞれの入射面の間が連続的な曲面で接続されている点である。
【００７７】
なお、ＬＥＤ基板６１、ＬＥＤ基板６１の第１のグループ６１ａに含まれるＬＥＤ７１、および、ＬＥＤ基板６１の第２のグループ６１ｂに含まれるＬＥＤ７２は、それぞれ、ＬＥＤモジュール２１のＬＥＤ基板３１、ＬＥＤ基板３１の第１のグループ３１ａに含まれるＬＥＤ４１、および、ＬＥＤ基板３１の第２のグループ３１ｂに含まれるＬＥＤ４２と同様の構成および効果を備えており、ここでは説明を繰り返さない。
【００７８】
ＬＥＤモジュール２１ａにおいては、一体型レンズ６２の第１のレンズ部６２ａと第２のレンズ部６２ｂとの境界において、それぞれの入射面の間が連続的な曲面で接続されているので、第１のグループ６１ａと第２のグループ６１ｂとを同時に発光させた場合における、発光色間の色境界の不連続性を抑えることができる。
【００７９】
図６は、ＬＥＤモジュール２１の変形例の概略構成を示す断面図である。図６に示すように、ＬＥＤモジュール２１ｂは、ＬＥＤ基板８１と、一体型レンズ８２と、を備えている。ＬＥＤモジュール２１ｂがＬＥＤモジュール２１と異なる点は、一体型レンズ８２の第１のレンズ部８２ａが、ＬＥＤ基板８１の第１のグループ８１ａからの出力光を集光させる機能を有し、一体型レンズ８２の第２のレンズ部８２ｂが、ＬＥＤ基板８１の第２のグループ８１ｂからの出力光を拡散させる機能を有する点である。
【００８０】
なお、ＬＥＤ基板８１、ＬＥＤ基板８１の第１のグループ８１ａに含まれるＬＥＤ９１、および、ＬＥＤ基板８１の第２のグループ８１ｂに含まれるＬＥＤ９２は、それぞれ、ＬＥＤモジュール２１のＬＥＤ基板３１、ＬＥＤ基板３１の第１のグループ３１ａに含まれるＬＥＤ４１、および、ＬＥＤ基板３１の第２のグループ３１ｂに含まれるＬＥＤ４２と同様の構成および効果を備えており、ここでは説明を繰り返さない。
【００８１】
（ＬＥＤ基板３１の変形例）
図７は、ＬＥＤ基板３１の変形例の概略構成を示す斜視図である。図７に示すように、
ＬＥＤ基板１０１では、第１のグループ１０１ａと第２のグループ１０１ｂとは、ＬＥＤ基板１０１の搭載面において、円と矩形によって、各々が配置される領域が区分けされ、配置されている。
【００８２】
図８は、ＬＥＤ基板３１の変形例の概略構成を示す斜視図である。図８に示すように、
ＬＥＤ基板１０２では、第１のグループ１０２ａと第２のグループ１０２ｂとは、ＬＥＤ基板１０２の搭載面において、２つの矩形によって、各々が配置される領域が区分けされ、配置されている。
【００８３】
図９は、ＬＥＤ基板３１の変形例の概略構成を示す斜視図である。図９に示すように、
ＬＥＤ基板１０３では、第１のグループ１０３ａと、第２のグループ１０３ｂと、第３のグループ１０３ｃと、第４のグループ１０３ｄとは、ＬＥＤ基板１０３の搭載面において、４つの同心円によって、各々が配置される領域が区分けされ、配置されている。
【００８４】
図１０は、ＬＥＤ基板３１の変形例の概略構成を示す斜視図である。図１０に示すように、ＬＥＤ基板１０４では、第１のグループ１０４ａと、第２のグループ１０４ｂと、第３のグループ１０４ｃと、第４のグループ１０４ｄとは、ＬＥＤ基板１０４の搭載面において、４つの円によって、各々が配置される領域が区分けされ、配置されている。
【００８５】
図１１は、ＬＥＤ基板３１の変形例の概略構成を示す斜視図である。図１１に示すように、ＬＥＤ基板１０５では、第１のグループ１０５ａと、第２のグループ１０５ｂと、第３のグループ１０５ｃと、第４のグループ１０５ｄとは、ＬＥＤ基板１０５の搭載面において、４つの矩形によって、各々が配置される領域が区分けされ、配置されている。
【００８６】
（一体型レンズ３２の構成例）
図１２は、一体型レンズ３２の第１のレンズ部３２ａの構成例の概略構成を示す断面図であり、（ａ）は、第１のレンズ部３２ａと同様の第１のレンズ部２０２ａであり、（ｂ）は、第１のレンズ部３２ａを紙面上右側に傾けた第１のレンズ部２０２ｂであり、（ｃ）は、第１のレンズ部３２ａを紙面上左側に傾けた第１のレンズ部２０２ｃである。
【００８７】
一方、図１３は、一体型レンズ３２の第２のレンズ部３２ｂの構成例の概略構成を示す断面図であり、（ａ）は、第２のレンズ部３２ｂと同様の第２のレンズ部３０２ａであり、（ｂ）は、第２のレンズ部３２ｂを紙面上右側に傾けた第２のレンズ部３０２ｂであり、（ｃ）は、第２のレンズ部３２ｂを紙面上左側に傾けた第２のレンズ部３０２ｃである。
【００８８】
なお、ＬＥＤ基板２０１ａ、２０１ｂ、２０１ｃ、３０１ａ、３０１ｂ、３０１ｃは、ＬＥＤ基板６１と同様の構成および効果を備えており、ここでは説明を繰り返さない。
【００８９】
図７に示したＬＥＤ基板３１の変形例においては、図１２および図１３に示した、各種の第１のレンズ部および第２のレンズ部を組み合わせた一体型レンズを用いればよい。
【００９０】
本発明は、上述した各実施形態に限定されるものではなく、請求項に示した範囲で種々の変更が可能であり、本実施形態にそれぞれ開示された技術的手段を適宜組み合わせて得られる実施形態についても本発明の技術的範囲に含まれる。
【符号の説明】
【００９１】
１    照明装置
３１    ＬＥＤ基板（光源）
３１ａ    第１のグループ（発光領域）
３１ｂ    第２のグループ（発光領域）
３２    一体型レンズ（光学部材）
３２ａ    第１のレンズ部（光出射部）
３２ｂ    第２のレンズ部（光出射部）
【図１】
0005819182.tif 000002
【図２】
0005819182.tif 000003
【図３】
0005819182.tif 000004
【図４】
0005819182.tif 000005
【図５】
0005819182.tif 000006
【図６】
0005819182.tif 000007
【図７】
0005819182.tif 000008
【図８】
0005819182.tif 000009
【図９】
0005819182.tif 000010
【図１０】
0005819182.tif 000011
【図１１】
0005819182.tif 000012
【図１２】
0005819182.tif 000013
【図１３】
0005819182.tif 000014